(57)【特許請求の範囲】
【請求項１】
外部記憶装置が装着される複数の装着部と、
前記装着部に装着された外部記憶装置に記憶されているファイルを、ファイルの属性に基づいて前記装着部に装着された他の外部記憶装置に移動させる移動処理を実行する移動手段と、
前記装着部に装着された外部記憶装置に記憶されているファイルに基づいて、前記移動処理を実行させるためのファイルの属性を自動設定する第２設定手段とを備え、
前記第２設定手段は、前記装着部に装着されている全ての前記外部記憶装置に記憶されているファイルの種類を検出した後、その検出したファイル種類の数が、現在、装着されている前記外部記憶装置の数以下であるか否かを判定し、
さらに、前記第２設定手段は、当該ファイルの種類の数が、装着されている前記外部記憶装置の数以下である場合に、前記移動処理を実行させるためのファイルの属性を自動設定することを特徴とするファイル移動装置。
【請求項２】
情報を表示する表示部を備えており、
前記ファイルの種類の数が、装着されている前記外部記憶装置の数より多い場合には、前記外部記憶装置の装着を促すメッセージが前記表示部に表示されることを特徴とする請求項１に記載のファイル移動装置。
【請求項３】
外部記憶装置が装着される複数の装着部と、
前記装着部に装着された外部記憶装置に記憶されているファイルを、ファイルの属性に基づいて設定される振り分け情報に従って前記装着部に装着された他の外部記憶装置に移動させる移動処理を実行する移動手段と、
前記移動手段により処理されたファイルを元の状態に復元する復元処理を実行する復元手段と、
前記復元手段を実行させるか否かをユーザに選択させるための第２選択手段とを備え、
前記復元手段は、前記第２選択手段によって前記復元手段を実行させることが選択された場合、前記振り分け情報に基づいて、装着されている前記外部記憶装置が前記移動処理を実行された前記外部記憶装置であるか否かを判定し、
さらに、前記復元手段は、前記移動処理を実行された前記外部記憶装置であると判定した場合に、前記復元処理を実行することを特徴とするファイル移動装置。
【請求項４】
情報を表示する表示部を備えており、
前記移動処理を実行された前記外部記憶装置が装着されていないと判定された場合には、前記復元処理を実行できない旨が前記表示部に表示されることを特徴とする請求項３に記載のファイル移動装置。
【請求項５】
前記移動処理を実行させるためのファイルの属性をユーザが設定するための第１設定手段を備えることを特徴とする請求項１ないし４のいずれか１つに記載のファイル移動装置。
【請求項６】
前記移動処理を実行させるためのファイルの属性は、ファイルの拡張子であることを特徴とする請求項１ないし５のいずれか１つに記載のファイル移動装置。
【請求項７】
前記移動手段は、前記装着部に装着された外部記憶装置に記憶されているファイルのうち、前記移動処理を実行させるためのファイルの属性では、いずれの外部記憶装置に移動させるべきかを決定することができないファイルに対して所定処理を実行する処理手段を有することを特徴とする請求項１ないし６のいずれか１つに記載のファイル移動装置。
【請求項８】
前記所定処理をユーザが設定するための第３設定手段を備えることを特徴とする請求項７に記載のファイル移動装置。
【請求項９】
前記所定処理として、いずれの外部記憶装置に移動させるべきかを決定することができないファイルを、前記装着部に装着されたいずれか１つの外部記憶装置に移動させる処理を選択することができることを特徴とする請求項８に記載のファイル移動装置。
【請求項１０】
前記移動手段を実行させるか否かをユーザに選択させるための第１選択手段を備えることを特徴とする請求項１ないし９のいずれか１つに記載のファイル移動装置。
【請求項１１】
外部記憶装置が装着される複数の装着部が備えられたファイル移動装置に組み込まれたコンピュータを、
前記装着部に装着された外部記憶装置に記憶されているファイルを、ファイルの属性に基づいて前記装着部に装着された他の外部記憶装置に移動させる移動処理を実行する移動手段、及び
前記装着部に装着された外部記憶装置に記憶されているファイルに基づいて、前記移動処理を実行させるためのファイルの属性を自動設定する第２設定手段として機能させ、
前記第２設定手段は、前記装着部に装着されている全ての前記外部記憶装置に記憶されているファイルの種類を検出した後、その検出したファイル種類の数が、現在、装着されている前記外部記憶装置の数以下であるか否かを判定し、
さらに、前記第２設定手段は、当該ファイルの種類の数が、装着されている前記外部記憶装置の数以下である場合に、前記移動処理を実行させるためのファイルの属性を自動設定することを特徴とするプログラム。
【請求項１２】
外部記憶装置が装着される複数の装着部が備えられたファイル移動装置に組み込まれたコンピュータを、
前記装着部に装着された外部記憶装置に記憶されているファイルを、ファイルの属性に基づいて設定される振り分け情報に従って前記装着部に装着された他の外部記憶装置に移動させる移動処理を実行する移動手段、
前記移動手段により処理されたファイルを元の状態に復元する復元処理を実行する復元手段、及び
前記復元手段を実行させるか否かをユーザに選択させるための第２選択手段として機能させ、
前記復元手段は、前記第２選択手段によって前記復元手段を実行させることが選択された場合、前記振り分け情報に基づいて、装着されている前記外部記憶装置が前記移動処理を実行された前記外部記憶装置であるか否かを判定し、
さらに、前記復元手段は、前記移動処理を実行された前記外部記憶装置であると判定した場合に、前記復元処理を実行することを特徴とするプログラム。
【発明の詳細な説明】
【技術分野】
【０００１】
本発明は、ファイルを管理するためのファイル移動装置、及びファイル移動装置に組み込まれたコンピュータを機能させるプログラムに関するものである。
【背景技術】
【０００２】
例えば、特許文献１に記載の発明では、複数の装着部に装着された複数の外部記憶装置に記憶されているファイルを一括して処理している。
【特許文献１】特開２００５−３２７０７０号公報
【発明の開示】
【発明が解決しようとする課題】
【０００３】
ところで、特許文献１に記載の発明では、複数の装着部に装着された複数の外部記憶装置に記憶されているファイルを一括して処理しているので、複数の外部記憶装置に記憶されている全てのファイルに対して同一の処理が実行されることとなる。
【０００４】
しかし、特許文献１に記載の発明においては、例えば、２つの外部記憶装置それぞれにＴＩＦＦ形式のファイルとＪＰＧ形式のファイルとが混在して記憶されている状況で、一方の外部記憶装置にはＴＩＦＦ形式のファイルのみ、他方の外部記憶装置にはＪＰＧ形式のファイルのみ格納されるような処理を行うことができないので、利便性がよいとは言い難い。
【０００５】
本発明は、上記点に鑑み、ファイル移動装置の利便性を向上させることを目的とする。
【課題を解決するための手段】
【０００６】
本発明は、上記目的を達成するために、請求項１に記載の発明では、外部記憶装置が装着される複数の装着部と、装着部に装着された外部記憶装置に記憶されているファイルを、ファイルの属性に基づいて装着部に装着された他の外部記憶装置に移動させる移動処理を実行する移動手段と、装着部に装着された外部記憶装置に記憶されているファイルに基づいて、移動処理を実行させるためのファイルの属性を自動設定する第２設定手段とを備え、第２設定手段は、装着部に装着されている全ての外部記憶装置に記憶されているファイルの種類を検出した後、その検出したファイル種類の数が、現在、装着されている外部記憶装置の数以下であるか否かを判定し、さらに、第２設定手段は、当該ファイルの種類の数が、装着されている外部記憶装置の数以下である場合に、移動処理を実行させるためのファイルの属性を自動設定することを特徴とする。
【０００７】
これにより、請求項１に記載の発明では、装着部に装着された外部記憶装置に記憶されているファイルを、ファイルの属性に基づいて装着部に装着された他の外部記憶装置に移動させることができるので、利便性を向上さることができる。
【０００８】
なお、請求項１に記載の発明において、ファイルの属性として、例えば「第１の外部記憶装置にＴＩＦＦ形式のファイルのみ格納し、第２の外部記憶装置にＪＰＧ形式のファイルのみ格納する」とすれば、２つの外部記憶装置それぞれにＴＩＦＦ形式のファイルとＪＰＧ形式のファイルとが混在して記憶されている状況であっても、一方の外部記憶装置にはＴＩＦＦ形式のファイルのみ、他方の外部記憶装置にはＪＰＧ形式のファイルのみ格納されるような処理を実行させることができる。
【０００９】
因みに、「ファイルの属性」として、ファイル形式、ファイル名、ファイルの作成日時及びファイルの所有者（作成者）等がある。
請求項２に記載の発明では、情報を表示する表示部を備えており、ファイルの種類の数が、装着されている外部記憶装置の数より多い場合には、外部記憶装置の装着を促すメッセージが表示部に表示されることを特徴とする。
請求項３に記載の発明では、外部記憶装置が装着される複数の装着部と、装着部に装着された外部記憶装置に記憶されているファイルを、ファイルの属性に基づいて設定される振り分け情報に従って装着部に装着された他の外部記憶装置に移動させる移動処理を実行する移動手段と、移動手段により処理されたファイルを元の状態に復元する復元処理を実行する復元手段と、復元手段を実行させるか否かをユーザに選択させるための第２選択手段とを備え、復元手段は、第２選択手段によって復元手段を実行させることが選択された場合、振り分け情報に基づいて、装着されている外部記憶装置が移動処理を実行された外部記憶装置であるか否かを判定し、さらに、復元手段は、移動処理を実行された外部記憶装置であると判定した場合に、復元処理を実行することを特徴とするファイル移動装置。
これにより、請求項３に記載の発明では、装着部に装着された外部記憶装置に記憶されているファイルを、ファイルの属性に基づいて装着部に装着された他の外部記憶装置に移動させることができるとともに、移動されたファイルを容易に元の状態に戻すことができるので、利便性を向上さることができる。
請求項４に記載の発明では、情報を表示する表示部を備えており、移動処理を実行された外部記憶装置が装着されていないと判定された場合には、復元処理を実行できない旨が表示部に表示されることを特徴とする。
請求項５に記載の発明では、移動処理を実行させるためのファイルの属性をユーザが設定するための第１設定手段を備えることを特徴とするので、ユーザが移動処理を実行させるためのファイルの属性を設定できる。
【００１１】
因みに、請求項６に記載の発明では、移動処理を実行させるためのファイルの属性は、ファイルの拡張子であることを特徴としている。
請求項７に記載の発明では、移動手段は、装着部に装着された外部記憶装置に記憶されているファイルのうち、移動処理を実行させるためのファイルの属性では、いずれの外部記憶装置に移動させるべきかを決定することができないファイルに対して所定処理を実行する処理手段を有することを特徴とするものである。
【００１２】
請求項８に記載の発明では、所定処理をユーザが設定するための第３設定手段を備えることを特徴としているので、利便性を更に向上させることができる。
請求項９に記載の発明では、所定処理として、いずれの外部記憶装置に移動させるべきかを決定することができないファイルを、装着部に装着されたいずれか１つの外部記憶装置に移動させる処理を選択することができることを特徴とするものである。
【００１３】
請求項１０に記載の発明では、移動手段を実行させるか否かをユーザに選択させるための第１選択手段を備えることを特徴としているので、利便性を更に向上させることができる。
【００１６】
請求項１１に記載の発明では、外部記憶装置が装着される複数の装着部が備えられたファイル移動装置に組み込まれたコンピュータを、装着部に装着された外部記憶装置に記憶されているファイルを、ファイルの属性に基づいて装着部に装着された他の外部記憶装置に移動させる移動処理を実行する移動手段、及び装着部に装着された外部記憶装置に記憶されているファイルに基づいて、移動処理を実行させるためのファイルの属性を自動設定する第２設定手段として機能させ、第２設定手段は、装着部に装着されている全ての外部記憶装置に記憶されているファイルの種類を検出した後、その検出したファイル種類の数が、現在、装着されている外部記憶装置の数以下であるか否かを判定し、さらに、第２設定手段は、当該ファイルの種類の数が、装着されている外部記憶装置の数以下である場合に、移動処理を実行させるためのファイルの属性を自動設定することを特徴とする。
【００１７】
これにより、請求項１１に記載の発明では、請求項１に記載の発明と同様に、装着部に装着された外部記憶装置に記憶されているファイルを、ファイルの属性に基づいて装着部に装着された他の外部記憶装置に移動させることができるので、利便性を向上さることができる。
請求項１２に記載の発明では、外部記憶装置が装着される複数の装着部が備えられたファイル移動装置に組み込まれたコンピュータを、装着部に装着された外部記憶装置に記憶されているファイルを、ファイルの属性に基づいて設定される振り分け情報に従って装着部に装着された他の外部記憶装置に移動させる移動処理を実行する移動手段、移動手段により処理されたファイルを元の状態に復元する復元処理を実行する復元手段、及び復元手段を実行させるか否かをユーザに選択させるための第２選択手段として機能させ、復元手段は、第２選択手段によって復元手段を実行させることが選択された場合、振り分け情報に基づいて、装着されている外部記憶装置が移動処理を実行された外部記憶装置であるか否かを判定し、さらに、復元手段は、移動処理を実行された外部記憶装置であると判定した場合に、復元処理を実行することを特徴とする。
これにより、請求項１２に記載の発明では、請求項３に記載の発明と同様に、装着部に装着された外部記憶装置に記憶されているファイルを、ファイルの属性に基づいて装着部に装着された他の外部記憶装置に移動させることができるとともに、移動されたファイルを容易に元の状態に戻すことができるので、利便性を向上さることができる。
【発明を実施するための最良の形態】
【００１８】
本実施形態は、印刷機能、ファクシミリ機能及びスキャナ機能等が一体化されたプリンタ（以下、多機能装置という。）に本発明に係るファイル移動装置及びプログラムを適用したものであり、以下に本発明の実施形態を図面と共に説明する。
【００１９】
１．図面の説明
図１は本実施形態に係る多機能装置１０の概要を示すブロック図であり、図２は操作パネル１２の一例を示す図であり、図３は、振り分け処理の制御を示すフローチャートであり、図４は、振り分け処理を実行させるための条件の概要を示す概念図である。
【００２０】
また、図５は、振り分け処理の制御を示すフローチャートであり、図６は、自動振り分け処理の制御を示すフローチャートであり、図７は、振り分けキャンセル処理の制御を示すフローチャートであり、図８、図９、図１２、図１４（ａ）及び図１４（ｂ）は表示部１３の表示例を示す図であり、図１０、図１１、図１３は、振り分け処理の出力結果イメージを示す概念図である。
【００２１】
２．多機能装置の概要（図１参照）
多機能装置１０は、図１に示すように、記録用紙等の記録媒体に画像を形成する記録部１１、ユーザにより操作される操作パネル１２、各種の情報を表示する表示部１３、外部記憶装置３０が着脱可能に装着される第１〜第３接続端子１４Ａ〜１４Ｃ、スキャナ部１５、ファクシミリ回路１６、記憶部１７、ＮＩＣ（Network Interface Card）１８等のネットワーク接続用のインターフェース、並びに記録部１１等を制御する制御部１９を有して構成されている。
【００２２】
なお、本実施形態に係る表示部１３は、ユーザが表示部１３に触れたか否か、及び触れた位置を検出することが可能ないわゆるタッチパネル機能を有しており、多機能装置１０（制御部１９）は、タッチパネル機能を通じてユーザからの指示を受け付けることができる。
【００２３】
制御部１９は、ＣＰＵ、ＲＯＭ及びＲＡＭ等からなる周知のマイクロコンピュータにて構成されたものであり、図５〜図７に示す制御を実行するためのプログラム等は、ＲＯＭに記憶されている。
【００２４】
また、第１〜第３接続端子１４Ａ〜１４Ｃは特許請求の範囲に記載された装着部に相当するもので、本実施形態では、ＵＳＢ（Universal Serial Bus)規格の接続端子（インターフェース）を装着部として採用しているが、本実施形態は、これに限定されるものではなく、他の規格の接続端子でもよい。
【００２５】
一方、外部記憶装置３０も、第１〜第３接続端子１４Ａ〜１４Ｃに接続可能なインターフェースを有する記憶手段であれば何でもよく、具体的には、フラッシュメモリ等の不揮発性半導体記憶装置にて構成されたＵＳＢメモリやＳＤメモリ（登録商標）、ＨＤＤ等の磁気記憶装置、又は多機能装置１０と直接接続して印刷するための通信規格であるＰｉｃｔＢｒｉｄｇｅに対応したデジタルカメラ等が外部記憶装置３０として考えられる。
【００２６】
また、多機能装置１０は、第１〜第３接続端子１４Ａ〜１４Ｃに接続された外部記憶装置３０に記憶されている印刷ファイル等を多機能装置１０と接続された外部のコンピュータ（図示せず。）を介さずに直接的に印刷（以下、この印刷をダイレクト印刷という。）する機能を有している。
【００２７】
なお、印刷ファイルとは、ＰＤＬ（Page Description Language）形式等の多機能装置１０にて実行可能な特定形式のデータをいい、本実施形態に係る多機能装置１０は、印刷ファイルに加えて、ＢＭＰ（Bit Map）形式やＪＰＥＧ（Joint Photographic Experts Group）形式等の画像ファイルもダイレクト印刷することができる。
【００２８】
また、操作パネル１２には、図２に示すように、ユーザにより操作（押下）される各種のキー（ボタン）が設けられており、ダイレクト印刷ボタン１２Ａは、ダイレクト印刷の実行指示をするためのキーであり、振り分けボタン１２Ｂは、後述の振り分け処理（図３の制御）を起動させるためのキーである。
【００２９】
また、振り分けキャンセルボタン１２Ｃは、振り分けキャンセル処理（図７の制御）を起動させるためのキーであり、方向キー１２Ｄ、１２Ｅは、表示部１３の表示内容を選択又は切り替えるためのキーであり、ＯＫボタン１２Ｆは、ユーザにより選択された項目及び内容を確定させるためのキーである。
【００３０】
３．本実施形態に係る多機能装置の特徴的作動（図３〜図７参照）
本実施形態に係る多機能装置１０では、第１〜第３接続端子１４Ａ〜１４Ｃに装着された外部記憶装置３０に記憶されているファイルを、ファイルの属性に基づいて移動させる移動処理を実行することを特徴としており、以下、その詳細を説明する。
【００３１】
ユーザにより、振り分けボタン１２Ｂが押下されると、図３に示す振り分け処理が起動される。先ず、振り分け処理にて実行される移動処理（図５のＳ５０等）を実行させるための振り分け条件を設定するための振り分け条件設定処理が実行され（Ｓ１）、その後、Ｓ１にて設定された振り分け条件に従って振り分け処理が実行された後（Ｓ２）、本制御が終了する。
【００３２】
３．１．振り分け条件設定処理（図４参照）
振り分け条件設定処理においては、ユーザが操作パネルの方向キー１２Ｄ、１２ＥやＯＫボタン１２Ｆを操作することにより、図４に示すような階層構造に従って、ユーザが振り分け条件を設定するための設定画面が表示部１３に、順次、表示されていく。
【００３３】
すなわち、振り分け条件設定処理が起動されると、先ず、「ファイル形式」、「文字列」及び「自動」の３つの選択肢（以下、これらの選択肢を設定項目という。）が表示部１３に表示される。
【００３４】
次に、いずれかの設定項目がユーザにより選択された状態で、ＯＫボタン１２Ｆがユーザにより押下されると、その選択された設定項目について、第１〜第３接続端子１４Ａ〜１４Ｃ毎に詳細設定するための設定画面が表示される。
【００３５】
そして、図４に示す例においては、設定項目「ファイル形式」に関して、第１接続端子１４Ａに接続された外部記憶装置３０（以下、第１外部記憶装置３１という。）にＰＤＦ形式のファイルが移動され、第２接続端子１４Ｂに接続された外部記憶装置３０（以下、第２外部記憶装置３２という。）にＪＰＥＧ形式のファイルが移動され、第３接続端子１４Ｃに接続された外部記憶装置３０（以下、第３外部記憶装置３３という。）に印刷ファイル形式のファイルが移動されるように設定されている。
【００３６】
また、上記３種類のファイル形式のいずれにも合致せず、いずれの外部記憶装置３０に移動させるべきかを決定することができないファイル（以下、このようなファイルを「その他ファイル」という。）に対する処理（以下、この処理をその他ファイルの処理という。）の選択肢として、本実施形態では、「その他ファイルをいずれかの外部記憶装置３０（例えば、第３外部記憶装置３３）に移動させる」、又は「その他ファイル全てを削除する」のいずれかの処理をユーザが選択することができるようになっている。
【００３７】
因みに、本実施形態では、ファイルの拡張子に基づいてファイル形式を判定しており、拡張子とは、ファイル名のうち、「．」(ピリオド)で区切られた一番右側の部分をいう。したがって、例えば、ファイル名が「e-words.txt」ならば「txt」が拡張子である。
【００３８】
同様に、設定項目「文字列」に関しては、例えば、「ＹＡＭＡＤＡ」という文字列をファイル名に含むファイルが第１外部記憶装置３１に移動され、「ＫＡＴＯ」という文字列をファイル名に含むファイルが第２外部記憶装置３２に移動され、「ＹＯＳＨＩＤＡ」という文字列をファイル名に含むファイルが第３外部記憶装置３３に移動されるように設定されている。
【００３９】
なお、設定項目「文字列」に関しての「その他ファイルの処理」は、設定項目「ファイル形式」と同様な設定となっている。
また、設定項目「自動」とは、図６の制御に示されるように、第１〜第３接続端子１４Ａ〜１４Ｃに装着された外部記憶装置３０の数、及びこれらの外部記憶装置３０に記憶されているファイルの種類（例えば、ファイル形式やファイル名等）に基づいて、自動的に振り分け条件を設定してファイルの移動処理が実行される処理モードである。
【００４０】
なお、図４では、全て設定項目が設定されているかの如く記載されているが、同時に２つ以上の設定項目を満たすように移動処理を実行することは難しいので、本実施形態に係る多機能装置１０では、３つの設定項目のうちいずれか１つの設定項目のみ設定可能であり、同時に２つ以上の設定項目を設定することができない。
【００４１】
そして、いずれかの設定項目について、第１〜第３接続端子１４Ａ〜１４Ｃ毎の設定がユーザによりされた状態でＯＫボタン１２Ｆが押下されると、その設定内容が記憶部１７に記憶される。
【００４２】
３．２．振り分け処理（図５参照）
前述したように、振り分け条件設定処理が終了すると、図５に示す振り分け処理が起動される（図２参照）。そして、先ず、起動した時から所定時間が経過したか否かが判定される（Ｓ１０）。
【００４３】
なお、このＳ１０における所定時間は、振り分け処理の対象となる外部記憶装置３０を、ユーザが装着するために必要と想定される時間であり、本実施形態では、この時間が経過したときに、振り分け処理の対象となる外部記憶装置３０の装着が完了したものとみなしている。
【００４４】
そして、所定時間が経過したと判定された場合には（Ｓ１０：ＹＥＳ）、第１〜第３接続端子１４Ａ〜１４Ｃのいずれかに外部記憶装置３０が装着されているか否かが判定され（Ｓ１５）、外部記憶装置３０が装着されていないと判定された場合には（Ｓ１５：ＮＯ）、本制御が終了する。
【００４５】
一方、外部記憶装置３０が装着されていると判定された場合には（Ｓ１５：ＹＥＳ）、装着されている外部記憶装置３０は１つであるか否かが判定され（Ｓ２０）、装着されている外部記憶装置３０は１つであると判定された場合には（Ｓ２０：ＹＥＳ）、振り分け処理を続行するか否かをユーザに確認するメッセージ（図８参照）が表示部１３に表示される（Ｓ２５）。
【００４６】
次に、Ｓ２５で表示されたメッセージに対するユーザの指示に基づいて、振り分け処理を続行するか否か判定され（Ｓ３０）、振り分け処理を続行しないと判定された場合には（Ｓ３０：ＮＯ）、本制御が終了する。一方、振り分け処理を続行すると判定された場合には（Ｓ３０：ＹＥＳ）、外部記憶装置３０の装着をユーザに対して促すメッセージ（図９参照）が表示部１３に表示された後（Ｓ３５）、再び、Ｓ２０が実行される。
【００４７】
また、Ｓ２０にて複数の外部記憶装置３０が装着されていると判定された場合には（Ｓ２０：ＮＯ）、装着されている全ての外部記憶装置３０に記憶されているファイル及び保存フォルダ等のファイル情報が読み取られるとともに、それらの情報が記憶部１７に記憶される（Ｓ４０）。因みに、図１０は、Ｓ４０にて記憶部１７に記憶されるファイル情報のイメージを示す図である。
【００４８】
そして、ファイル情報が記憶部１７に記憶されると（Ｓ４０）、図５に示すように、ユーザによる振り分け設定がされているか否か、つまり設定項目として「自動」以外が設定されているか否かが判定される（Ｓ４５）。
【００４９】
このとき、ユーザによる振り分け設定がされていると判定された場合には（Ｓ４５：ＹＥＳ）、ユーザにより設定された振り分け条件（本実施形態では、「ファイル形式」又は「文字列」の設定内容）に従って各外部記憶装置３０に記憶されているファイルがいずれかの外部記憶装置３０に移動されるとともに、振り分け条件を意味する情報（振り分け情報）が移動先の外部記憶装置３０に記憶される（Ｓ５０）。
【００５０】
因みに、本実施形態に係る移動処理（Ｓ５０）では、各外部記憶装置３０に記憶されているファイルを、一旦、記憶部１７に移動させた後、振り分け条件に従って各ファイルをいずれかの外部記憶装置３０に移動させている。
【００５１】
一方、設定項目として「自動」が設定されていると判定された場合には（Ｓ４５：ＮＯ）、振り分け条件が自動的に設定される自動振り分け処理が実行された後（Ｓ５５）、その自動的に設定された振り分け条件に従って各外部記憶装置３０に記憶されているファイルがいずれかの外部記憶装置３０に移動されるとともに、振り分け情報が移動先の外部記憶装置３０に記憶される（Ｓ５０）。なお、自動振り分け処理（Ｓ５５）の詳細は、後述する。
【００５２】
因みに、図１１は、設定項目「ファイル形式」に関して、第１外部記憶装置３１にＪＰＥＧ形式のファイルが移動され、第２外部記憶装置３２にＰＤＦ形式のファイルが移動され、第３外部記憶装置３３に印刷ファイル（ＰＲＮ）形式のファイルが移動されるように設定され、かつ、その他ファイルの処理として、第３外部記憶装置３３に移動させるとした場合の移動処理結果を概念的に示す図である。
【００５３】
そして、移動処理が終了すると（Ｓ５０）、図５に示すように、振り分けキャンセルボタン１２Ｃがユーザにより押下されたか否かが判定され（Ｓ６０）、振り分けキャンセルボタン１２Ｃが押下されたと判定された場合には（Ｓ６０：ＹＥＳ）、Ｓ４０にて記憶したファイル情報に基づいて、移動処理されたファイルを元の状態に復元した後（Ｓ６５）、本制御が終了する。
【００５４】
一方、振り分けキャンセルボタン１２Ｃが押下されていないと判定された場合には（Ｓ６０：ＮＯ）、その時点で、本制御が終了する。
３．３．自動振り分け処理（図６参照）
図６に示す自動振り分け処理では、先ず、Ｓ４０（図５参照）にて記憶されたファイル情報に基づいてファイルの種類が検出されるとともに、その検出されたファイル種類の数が、現在、装着されている外部記憶装置３０の数以下であるか否かが判定される（Ｓ１００）。
【００５５】
このとき、ファイル種類の数が、現在、装着されている外部記憶装置３０の数以下であると判定された場合には（Ｓ１００：ＹＥＳ）、外部記憶装置３０の装着をユーザに対して促すメッセージ（図９参照）が表示部１３に表示されているか否かが判定され（Ｓ１０５）、表示されていると判定された場合には（Ｓ１０５：ＹＥＳ）、その表示が消去される（Ｓ１１０）。
【００５６】
そして、表示が消去されたとき（Ｓ１１０）、又は表示されていないと判定された場合には（Ｓ１０５：ＮＯ）、装着されている全ての外部記憶装置３０に記憶されているファイル形式に基づいて自動的に振り分け条件が設定された後、その設定の内容が表示部１３に表示された後（Ｓ１１５）、本制御が終了する。
【００５７】
因みに、図１２は、自動設定の一例を示す図であり、図１２では、第１外部記憶装置３１にＰＤＦ形式のファイルが移動され、第２外部記憶装置３２にＪＰＥＧ形式のファイルが移動され、第３外部記憶装置３３にＴＩＦＦ形式のファイルが移動されるように設定されたときを示した例であり、図１３は、図１２で示す振り分け条件で移動処理を実行したときの移動処理結果を概念的に示す図である。
【００５８】
また、Ｓ１００にて、ファイル種類が、現在、装着されている外部記憶装置３０の数より多いと判定された場合には（Ｓ１００：ＮＯ）、外部記憶装置３０の装着をユーザに対して促すメッセージ（図９参照）が表示部１３に表示された後（Ｓ１２０）、表示が開始された時からの累積経過時間が所定時間を経過したか否かが判定される（Ｓ１２５）。
【００５９】
そして、所定時間が経過していないと判定された場合には（Ｓ１２５：ＮＯ）、再び、Ｓ１００が実行され、一方、所定時間が経過したと判定された場合には（Ｓ１２５：ＹＥＳ）、その表示が消去される（Ｓ１３０）。
【００６０】
次に、全ての外部記憶装置３０に記憶されているファイル形式に基づいて、自動的に振り分け条件が仮設定されるとともに、その仮設定の内容が表示部１３に表示された後（Ｓ１３５）、ユーザから入力に基づいて、Ｓ１３５にて表示された仮設定がユーザにより選択（認可）されたか否かが判定される（Ｓ１４０）。
【００６１】
このとき、Ｓ１３５にて表示された仮設定がユーザにより選択（認可）されなかったと判定された場合には（Ｓ１４０：ＮＯ）、再度、全ての外部記憶装置３０に記憶されているファイル形式に基づいて自動的に振り分け条件が仮設定された後、その仮設定の内容が表示部１３に表示され（Ｓ１３５）、一方、ユーザにより選択（認可）されたと判定された場合には（Ｓ１４０：ＹＥＳ）、本制御が終了する。
【００６２】
なお、Ｓ１１５で表示される振り分け条件では、ファイル種類が、現在、装着されている外部記憶装置３０の数以下であるので、その他ファイルの処理は不要であるのに対して、Ｓ１３５により表示され振り分け処理では、ファイル種類が、現在、装着されている外部記憶装置３０の数より多いので、その他ファイルの処理が必要となる。
【００６３】
そこで、本実施形態では、先ず、「その他ファイルを第１外部記憶装置３１に移動させる」とした仮設定（図１４（ａ）参照）が表示され、その仮設定がユーザにより選択（認可）されなかった場合には、「その他ファイルを第２外部記憶装置３２に移動させる」とした仮設定（図１４（ｂ）参照）が表示される。
【００６４】
また、「その他ファイルを第２外部記憶装置３２に移動させる」とした仮設定がユーザにより選択（認可）されなかった場合には、「その他ファイルを第３外部記憶装置３３に移動させる」とした仮設定が表示され、その仮設定がユーザにより選択（認可）されなかった場合には、「その他ファイルを削除する」とした仮設定が表示される。
【００６５】
３．４．振り分けキャンセル処理（図７参照）
図７に示す振り分けキャンセル処理は、振り分けキャンセルボタン１２Ｃがユーザにより押下されたときに起動する制御であり、この制御が起動されると、先ず、第１〜第３接続端子１４Ａ〜１４Ｃに外部記憶装置３０が装着されているか否かが判定される（Ｓ２００）。
【００６６】
そして、外部記憶装置３０が装着されていないと判定された場合には（Ｓ２００：ＮＯ）、振り分けキャンセルボタン１２Ｃが押下された時から所定時間が経過したか否かが判定され（Ｓ２０５）、所定時間が経過したと判定された場合には（Ｓ２０５：ＹＥＳ）、本制御が終了する。
【００６７】
一方、所定時間が経過していないと判定された場合には（Ｓ２０５：ＮＯ）、再び、外部記憶装置３０が装着されているか否かが判定され（Ｓ２００）、外部記憶装置３０が装着されていると判定された場合には（Ｓ２００：ＹＥＳ）、移動処理時に外部記憶装置３０に記憶させた振り分け情報に基づいて、振り分け処理（移動処理）が実行された外部記憶装置３０であるか否かが判定される（Ｓ２１０）。
【００６８】
そして、振り分け処理が実行された外部記憶装置３０でないと判定された場合には（Ｓ２１０：ＮＯ）、本制御が終了し、一方、振り分け処理が実行された外部記憶装置３０であると判定された場合には（Ｓ２１０：ＹＥＳ）、外部記憶装置３０に記憶されている振り分け情報、又は振り分け処理（図５）のＳ４０にて記憶部１７に記憶されたファイル情報に基づいて、装着されている外部記憶装置３０に記憶されているファイルの全てが元の状態に復元された後（Ｓ２１５）、本制御が終了する。
【００６９】
なお、復元すべき元の外部記憶装置３０が装着されていないとき等、全てのファイルを元の状態に復元することができないときには、その旨の表示がされる。
４．本実施形態に係る多機能装置の特徴
本実施形態では、ファイル形式やファイル名に含まれる文字列等のファイルの属性に基づいて、装着された外部記憶装置３０に記憶されているファイルを移動させるので、利便性を向上さることができる。
【００７０】
また、本実施形態では、移動処理を実行させるためのファイルの属性（振り分け条件）をユーザが設定することができるので、更に利便性を向上させることができる。
また、本実施形態では、移動処理を実行させるためのファイルの属性（振り分け条件）を自動設定することができるので、利便性を更に向上させることができる。
【００７１】
本実施形態では、その他ファイルの処理をユーザが設定することができるので、利便性を更に向上させることができる。
また、本実施形態では、移動処理されたファイルを元の状態に復元することができるので、移動されたファイルを容易に元の状態に戻すことができる。
【００７２】
５．発明特定事項と実施形態との対応関係
本実施形態では、振り分け処理（図５）が特許請求の範囲に記載された移動手段及び処理手段に相当し、振り分け処理設定処理（Ｓ１）が特許請求の範囲に記載された第１設定手段及び第３設定手段に相当し、自動振り分け処理（図６）が特許請求の範囲に記載された第２設定手段に相当する。
【００７３】
また、振り分けボタン１２Ｂが特許請求の範囲に記載された第１選択手段に相当し、振り分けキャンセルボタン１２Ｃが特許請求の範囲に記載された第２選択手段に相当し、振り分けキャンセル処理（図７）が特許請求の範囲に記載された復元手段に相当する。
【００７４】
（その他の実施形態）
上述の実施形態に係る移動処理では、各外部記憶装置３０に記憶されているファイルを、一旦、記憶部１７に移動させた後、振り分け条件に従って各ファイルをいずれかの外部記憶装置３０に移動させたが、本実施形態はこれに限定されるものではなく、例えば、移動させる必要があるファイルのみ移動させてもよい。
【００７５】
また、上述の実施形態では、多機能装置に本発明を適用したが、本発明の適用はこれに限定されるものではない。
また、振り分け条件は、上述の実施形態に示された条件に限定されるものではなく、例えば、ファイルの大きさ、過去に印刷したか否か、カラーファイル又はモノクロファイルのいずれであるか、機密文書（セキュア印刷の対象となるファイル）か否か、又は画質等が考えられる。
【００７６】
また、上述の実施形態では、接続端子（装着部）を３つ有する多機能装置を例に本発明を説明したが、本発明の適用はこれに限定されるものではなく、１つの接続端子（装着部）を多機能装置にも適用できる。なお、この場合、同時に複数の外部記憶装置３０を装着することは不可能であるので、複数の外部記憶装置３０の着脱を繰り返すことにより実現することができる。
【００７７】
また、上述の実施形態では、３つの設定項目のうちいずれか１つの設定項目のみ設定可能であったが、本発明はこれに限定されるものではない。
また、本発明は、特許請求の範囲に記載された発明の趣旨に合致するものであればよく、上述の実施形態に限定されるものではない。
【図面の簡単な説明】
【００７８】
【図１】本実施形態に係る多機能装置１０の概要を示すブロック図である。
【図２】操作パネル１２の一例を示す図である。
【図３】振り分け処理の制御を示すフローチャートである。
【図４】振り分け処理を実行させるための条件の概要を示す概念図である。
【図５】振り分け処理の制御を示すフローチャートである。
【図６】自動振り分け処理の制御を示すフローチャートである。
【図７】振り分けキャンセル処理の制御を示すフローチャートである。
【図８】表示部１３の表示例を示す図である。
【図９】表示部１３の表示例を示す図である。
【図１０】振り分け処理の出力結果イメージを示す概念図である。
【図１１】振り分け処理の出力結果イメージを示す概念図である。
【図１２】表示部１３の表示例を示す図である。
【図１３】振り分け処理の出力結果イメージを示す概念図である。
【図１４】表示部１３の表示例を示す図である。
【符号の説明】
【００７９】
１０…多機能装置、１１…記録部、１２…操作パネル、
１２Ａ…ダイレクト印刷ボタン、１２Ｂ…振り分けボタン、
１２Ｃ…振り分けキャンセルボタン、１２Ｄ…方向キー、１２Ｆ…ＯＫボタン、
１３…表示部、１５…スキャナ部、１６…ファクシミリ回路、１７…記憶部、
１９…制御部。
【図１】
0004831036.tif 000002
【図２】
0004831036.tif 000003
【図３】
0004831036.tif 000004
【図４】
0004831036.tif 000005
【図５】
0004831036.tif 000006
【図６】
0004831036.tif 000007
【図７】
0004831036.tif 000008
【図８】
0004831036.tif 000009
【図９】
0004831036.tif 000010
【図１０】
0004831036.tif 000011
【図１１】
0004831036.tif 000012
【図１２】
0004831036.tif 000013
【図１３】
0004831036.tif 000014
【図１４】
0004831036.tif 000015